(57)【要約】【課題】予約録画待機中にパーソナルコンピュータ（ＰＣ）の電源がＯＦＦとなり、テレビ番組の予約録画ができない場合でも確実に予約録画を実行する。【解決手段】テレビ信号を録画するための予約録画設定プログラムを備えたＰＣ２０と、ＰＣ２０と接続されデータを送受信する外部記憶制御装置１０とにおけるテレビ番組記録方法であって、ＰＣで設定された予約録画情報を外部記憶制御装置１０のメモリ部１３で記憶する。また、メモリ部１３で記憶された予約録画情報にしたがって、外部記憶制御装置１０の録画制御部１２がテレビ信号をＰＣ２０の記憶媒体２１に記憶するか、外部記憶制御装置１０の記憶媒体１１に記憶するかの制御を行う。【選択図】図１
2008278359.tif 000002
【特許請求の範囲】
【請求項１】
放送番組のテレビ信号を録画するための予約録画設定プログラムを備えたコンピュータと、前記コンピュータと接続されデータを送受信する外部記憶制御装置とにおけるテレビ番組録画方法であって、
前記外部記憶制御装置は、アンテナを介して受信した放送波から前記テレビ信号を取得するテレビ放送取得部と、予約録画情報を記憶するメモリ部と、予約録画の制御を行う録画制御部と、テレビ信号を記憶するための記憶媒体とを有しており、
前記コンピュータで設定された前記予約録画情報を、前記外部記憶制御装置が取得して前記メモリ部に記憶し、
前記メモリ部に記憶された前記予約録画情報にしたがって、前記録画制御部が、前記テレビ信号を前記コンピュータの記憶媒体に記憶をするか、前記外部記憶制御装置の前記記憶媒体に記憶をするかの制御を行うことを特徴とするテレビ番組録画方法。
【請求項２】
前記コンピュータは、前記予約録画情報を設定するための予約録画設定部と、前記設定された予約録画情報にしたがって前記テレビ信号の予約録画を実行する予約録画制御部とを有しており、
前記外部記憶制御装置の前記録画制御部は、前記コンピュータの前記予約録画設定部に設定された前記予約録画情報を前記予約録画制御部を介して取得し、前記メモリ部に記憶することを特徴とする請求項１に記載のテレビ番組録画方法。
【請求項３】
前記外部記憶制御装置の前記録画制御部は、
前記コンピュータの電源が入っているかどうかを確認する電源確認部と、前記電源確認部の情報を基に前記テレビ信号を、前記コンピュータの前記記憶媒体に記憶するのか、前記外部記憶装置の前記記憶媒体に記憶するのかの判断を行う記憶媒体判断部とを有しており、
前記電源確認部において、前記メモリ部に記憶された前記予約録画情報における録画開始時刻の時間前に、前記コンピュータに電源が入っていないと確認した場合に、前記記憶媒体判断部が、前記テレビ信号を前記外部記憶制御装置の前記記憶媒体に記憶するように制御することを特徴とする請求項１または請求項２に記載のテレビ番組録画方法。
【請求項４】
前記外部記憶制御装置の前記録画制御部は、
前記コンピュータの電源が入っているかどうかを確認する電源確認部と、前記電源確認部の情報を基に前記テレビ信号を、前記コンピュータの前記記憶媒体に記憶するのか、前記外部記憶装置の前記記憶媒体に記憶するのかの判断を行う記憶媒体判断部とを有しており、
前記電源確認部において、前記メモリ部に記憶された前記予約録画情報における録画開始時刻の時間前に、前記コンピュータに電源が入っていると確認した場合に、前記記憶媒体判断部が、前記テレビ信号を前記コンピュータの前記記憶媒体に記憶させるように制御することを特徴とする請求項１または請求項２に記載のテレビ番組録画方法。
【請求項５】
前記外部記憶制御装置の前記録画制御部は、
前記コンピュータの電源が入っているかどうかを確認する電源確認部と、前記電源確認部の情報を基に前記テレビ信号を、前記コンピュータの前記記憶媒体に記憶するのか、前記外部記憶装置の前記記憶媒体に記憶するのかの判断を行う記憶媒体判断部とを有しており、
前記電源確認部において、前記メモリ部に記憶された前記予約録画情報における録画開始時刻の時間前に、前記コンピュータに電源が入っていないと確認した場合に、前記記憶媒体判断部が、前記コンピュータにトリガを送信して、前記コンピュータを立ち上げ、前記コンピュータの前記記憶媒体に前記テレビ信号を記憶させるように制御することを特徴とする請求項１または請求項２に記載のテレビ番組録画方法。
【請求項６】
前記外部記憶制御装置の前記録画制御部は、
前記コンピュータの電源が入っているかどうかを確認する電源確認部と、前記電源確認部の情報を基に前記テレビ信号を、前記コンピュータの前記記憶媒体に記憶するのか、前記外部記憶装置の前記記憶媒体に記憶するのかの判断を行う記憶媒体判断部とを有しており、
前記電源確認部において、前記メモリ部に記憶された前記予約録画情報における録画開始時刻の時間前に、前記コンピュータの電源が入っていると確認した場合において、
前記コンピュータの前記予約録画制御部が、前記コンピュータの前記記憶媒体の記憶容量と前記予約録画設定部で設定された前記予約録画情報の予約時間とを比較し、前記コンピュータの前記記憶媒体の記憶容量が足りないと判断したときに、前記記憶媒体判断部が、前記テレビ信号を前記外部記憶制御装置の前記記憶媒体に記憶するように制御することを特徴とする請求項２に記載のテレビ番組録画方法。
【請求項７】
前記テレビ番組録画方法は、
前記予約録画された放送番組のテレビ信号が、地上デジタル放送の一部を利用するワンセグ放送であることを特徴とする請求項１ないし請求項６のいずれか一項に記載のテレビ番組録画方法。
【請求項８】
放送番組のテレビ信号を録画するための予約録画設定プログラムを備えたコンピュータと、前記コンピュータと接続されデータを送受信する外部記憶制御装置とからなるテレビ番組録画システムであって、
前記外部記憶制御装置は、
アンテナを介して受信した放送波から前記テレビ信号を取得するテレビ放送取得部と、
前記コンピュータで設定され前記外部記憶制御装置が取得した予約録画情報を記憶するメモリ部と、
前記メモリ部に記憶された前記予約録画情報にしたがって、前記テレビ信号を前記コンピュータの記憶媒体に記憶をするか、前記外部記憶制御装置の記憶媒体に記憶をするかの制御を行う録画制御部とを有することを特徴とするテレビ番組録画システム。
【請求項９】
放送番組のテレビ信号を録画するための予約録画設定プログラムを備えたコンピュータと接続されデータを送受信する外部記憶制御装置であって、
アンテナを介して受信した放送波から前記テレビ信号を取得するテレビ放送取得部と、
前記コンピュータで設定され前記外部記憶制御装置が取得した予約録画情報を記憶するメモリ部と、
前記メモリ部に記憶された前記予約録画情報にしたがって、前記テレビ信号を前記コンピュータの記憶媒体に記憶をするか、前記外部記憶制御装置の記憶媒体に記憶をするかの制御を行う録画制御部とを有することを特徴とする外部記憶制御装置。
【発明の詳細な説明】
【技術分野】
【０００１】
本発明は、テレビ番組録画方法、テレビ番組録画システムおよび外部記憶制御装置の技術に関する。
【背景技術】
【０００２】
コンピュータ技術の発達と、動画圧縮技術の発展に伴って、従来のテレビ番組を予約録画する専用のビデオ機器に代わって、テレビ放送のデータをコンピュータで予約録画する方法が広がっている。テレビ放送のデータをデジタルデータに変換し、これを圧縮して記録するデジタル処理技術の進歩、また、地上デジタル放送の開始に伴って、テレビ放送のデータを記録する保存媒体も、従来のビデオテープから、ハードディスクドライブ、ＤＶＤドライブ、ＳＤカードなどの携帯型のメモリーカード等、ユーザの用途に合わせて多様化してきている。
【０００３】
これまでのテレビ放送をコンピュータで予約録画する方法を説明すると、先ずコンピュータの電源を入れてから、コンピュータに格納されている予約録画設定プログラムを立ち上げ、予約録画したいテレビ番組のチャンネル、録画時間、テレビ番組を保存する記憶媒体等を設定する。予約録画の開始時刻になると録画プログラムが実行され、テレビ信号をコンピュータに内蔵された記憶媒体であるハードディスクドライブやＤＶＤドライブ等に保存する。録画後、予約録画設定プログラムは自動的に終了する。
【０００４】
しかし、このような従来のテレビ放送の予約録画方法では、予約録画の待機中、ユーザがコンピュータを使用しないためにその電源をＯＦＦにすると、その結果としてコンピュータの電源が録画開始時刻になってもＯＦＦのままのため、予約録画プログラムが実行されず、テレビ放送を録画できないという問題があった。また、ユーザはコンピュータを使用していなくても、予約録画のため電源を入れておく必要があり、無駄な電力を消費することにもなる。
【０００５】
そこで、コンピュータの電源供給を、通常の標準モードから中央制御装置へ電源を供給しない節電モードへと切り替えることで、予約待機中は節電モードにし、録画開始時刻になると標準モードに切り替えることでシステムを起動し予約録画を行う方法が提示されている。この方法によれば、従来のようにコンピュータの電源を予約録画のために入れ続けることなく、電力消費を最小限に抑えることができる（例えば、特許文献１参照）。
【特許文献１】特開２００２−１５２６４５号公報
【発明の開示】
【発明が解決しようとする課題】
【０００６】
しかしながら、特許文献１に記載された技術は、コンピュータ本体の電源が中央制御装置等に供給されない節電モードではありながら、維持されていることが前提となっている。したがって、何らかの原因で予約録画待機状態のコンピュータに電源が供給されなくなった場合、例えば、ＡＣ電源が抜かれてしまった場合や、内蔵バッテリーの容量がなくなった場合等には、コンピュータは起動できずテレビ放送を予約録画することはできなかった。
【０００７】
さらに、コンピュータでの予約録画設定時には予約録画を設定した記憶媒体の容量が足りており、正常に設定できた場合でも、その後のユーザによるハードディスクへの書き込みで予約録画に十分な記憶容量が確保できなくなった場合や、また、ＤＶＤドライブに録画しようとした場合において、予約録画設定後に誤ってＤＶＤディスクを取り出してしまった場合等においては、予約録画が不可能になるという問題があった。
【０００８】
テレビ放送においては、大型の特集番組等を除いて、通常再放送されることは少なく、また再放送がなされたとしても不定期なため、特に連続ドラマやスポーツ番組において、予約録画の失敗はユーザのストレスとなっている。
【０００９】
このような背景に鑑みて本発明がなされたのであり、本発明は、テレビ放送の予約録画をする際に、コンピュータの電源がＯＦＦの場合、あるいは何らかの原因で予約録画ができない場合においても、確実にテレビ放送の予約録画を行うことができるテレビ番組録画方法、テレビ番組録画システムおよび外部記憶制御装置を提供することを目的とする。
【課題を解決するための手段】
【００１０】
前記課題を解決するため、本発明では、コンピュータと接続されデータを送受信することが可能な外部記憶制御装置を設け、コンピュータで設定された予約録画情報を外部記憶制御装置においても記憶し、予約録画開始時刻の時間前に、コンピュータの記憶媒体でテレビ信号を記憶するか、外部記憶制御装置に備えた記憶媒体に記憶するのかの判断を行うことを特徴とする。
【発明の効果】
【００１１】
本発明によれば、予約録画を設定したコンピュータの電源が起動していない場合、あるいは何らかの原因で予約録画ができない場合であっても、確実にテレビ番組の予約録画を行うことができるテレビ番組録画方法、テレビ番組録画システムおよび外部記憶制御装置を提供することができる。
【発明を実施するための最良の形態】
【００１２】
次に、本発明を実施するための最良の形態（「実施形態」という）について、適宜図面を参照しながら詳細に説明する。
【００１３】
図１は、本実施形態に係るテレビ番組録画システムの構成例を示す機能ブロック図である。
テレビ番組録画システム１は、記憶媒体２１を備えたパーソナルコンピュータ２０と、パーソナルコンピュータ２０とデータを送受信することが可能な記憶媒体１１を備えた外部記憶制御装置１０とを有する。ここで、パーソナルコンピュータ２０と外部記憶制御装置１０は、ＵＳＢ（ Universal Serial Bus )インターフェイスによって接続されている。ただし、ＵＳＢによる接続に限らず、ＬＡＮ（ Local Area Network ）等によって接続されていてもよい。また、コンピュータは、ユーザが家庭内においてテレビ番組の予約録画を行うことを想定しパーソナルコンピュータ２０とする。
【００１４】
パーソナルコンピュータ２０は、図示しないＣＰＵとその動作プログラムを記憶したＲＯＭ、ワークメモリとして動作する一方、後述する予約録画情報等を保持するＲＡＭなどにより構成され、後述するテレビ信号を記憶するための記憶媒体２１であるハードディスクドライブを有している。
【００１５】
ここで、パーソナルコンピュータ２０に備えられた記憶媒体と、外部記憶制御装置１０に備えられた記憶媒体とを区別するために、パーソナルコンピュータ２０に備えられた記憶媒体を第一の記憶媒体２１、外部記憶制御装置１０に備えられた記憶媒体を第二の記憶媒体１１とする。
【００１６】
第一の記憶媒体２１は、パーソナルコンピュータ２０に内蔵されたハードディスクドライブ以外に、記録可能なＤＶＤドライブあるいはメモリーカード等を用いることも可能である。
【００１７】
また、パーソナルコンピュータ２０は、予約録画情報を設定する予約録画設定部２２と、外部記憶制御装置１０が受信したテレビ信号を第一の記憶媒体２１に記憶する予約録画制御部２３を有する。
【００１８】
ユーザは、パーソナルコンピュータ２０に記憶された予約録画設定のためのアプリケーションプログラムにより、テレビ番組を予約したいチャンネル、録画時間、録画保存先である記憶媒体等（以下、「予約録画情報」という）を、図示しない予約録画設定画面において入力する。この入力により、予約録画情報が予約録画設定部２２に設定される。
【００１９】
予約録画制御部２３は、外部記憶制御装置１０のテレビ放送取得部１４を介してテレビ信号を受信し、リアルタイムクロック（ＲＴＣ）によって計時されている内部時計（図示せず）を使用して、番組が開始される時刻になると、第一の記憶媒体２１であるハードディスクドライブにテレビ信号を記憶する。
また、この予約録画制御部２３は、予約録画設定部２２に設定された予約録画情報を外部記憶制御装置１０に送信する機能を有する。予約録画情報が外部記憶制御装置１０にデータとして送信されることで、ユーザが入力し設定した予約録画情報を、パーソナルコンピュータ２０と、外部記憶制御装置１０の双方で共有することができる。
【００２０】
外部記憶制御装置１０は、アンテナを介して受信した放送波からテレビ信号を取得し、チューナの役割を果たすテレビ放送取得部１４と、パーソナルコンピュータ２０の予約録画設定部２２で設定された予約録画情報を記憶しておくメモリ部１３と、テレビ放送取得部１４で受信されたテレビ信号を記憶しておく第二の記憶媒体１１と、予約録画情報を用いて予約録画の制御を行う録画制御部１２と、外部記憶制御装置１０に電源を供給する電源部１５とを有している。
【００２１】
第二の記憶媒体１１は、第一の記憶媒体と同様に、ハードディスクドライブ、ＤＶＤドライブでも可能であるが、内蔵の不揮発性メモリであってもよいし、家庭内で録画した映像を携帯電話機やＰＤＡ（携帯情報端末）等で屋外に持ち運ぶユーザの利用方法を想定して、取り外しが可能なメモリーカードとしてもよい。メモリカードとすることで、外部記憶制御装置１０全体の大きさも小さくすることができる。このメモリーカードは、例えば、ＳＤメモリカード（登録商標）、コンパクトフラッシュ（登録商標）、メモリースティック（登録商標）、スマートメディア等である。
【００２２】
メモリ部１３は、パーソナルコンピュータ２０でユーザが設定した予約録画情報を、外部記憶制御装置１０の録画制御部１２を介して受信し記憶する記憶媒体である。
【００２３】
テレビ放送取得部１４は、地上デジタル放送の一部を利用するワンセグ放送を受信するアンテナと図示しないチューナを有する。動画を圧縮したワンセグ放送を受信することで、ハードディスク等に比べて、比較的記憶容量が少ないＳＤカード等のメモリカードであっても、テレビ番組を予約録画することが可能となる。
【００２４】
録画制御部１２は、メモリ部に記憶された予約録画情報の予約録画開始時刻の所定時間（パーソナルコンピュータが立ち上がるのに必要な数分間）前に、パーソナルコンピュータ２０の電源が起動している状態か否かを判断する電源確認部１２１と、電源確認部１２１からの情報により、第一の記憶媒体２１に記憶するか第二の記憶媒体１１に記憶するかの判断を行う記憶媒体判断部１２２と、テレビ放送取得部１４を介してテレビ信号を受信し、第二の記憶媒体１１にテレビ信号を記憶する制御を行う予約録画制御部１２３とからなる。
【００２５】
電源確認部１２１は、パーソナルコンピュータ２０が起動していることにより、ＵＳＢバスの電源ラインから電源が供給されているかを図示しない検電器によって確認、または、ＵＳＢバスの状態からパーソナルコンピュータ２０の電源が立ち上がっているか否かを判断する。
【００２６】
記憶媒体判断部１２２は、電源確認部１２１がパーソナルコンピュータ２０の電源が起動していると判断した場合には、第１の記憶媒体２１に記憶するように制御を行い、電源確認部１２１がパーソナルコンピュータ２０が起動していないと判断した場合には、第二の記憶媒体１１にテレビ信号を記憶するように制御する。
また、記憶媒体判断部１２２は、電源確認部１２１がパーソナルコンピュータ２０の電源が起動していないと判断した場合であっても、パーソナルコンピュータ２０にトリガを送信して、パーソナルコンピュータ２０を立ち上げ、予約録画を実行する手段を有する。
【００２７】
ここで、パーソナルコンピュータ２０の電源を立ち上げるためのトリガとしては、外部記憶制御装置１０からパーソナルコンピュータ２０に対して、ＵＳＢのリモートウェイクアップ機能を用い、Magic Packet等のパケットを送信することで電源がＯＦＦとなっているパーソナルコンピュータ２０を立ち上げる。また、ＬＡＮでの環境の場合は、ウェイクオンラン機能を使って、コンピュータを立ち上げることができる。
そして、パーソナルコンピュータが立ち上がったあとは、Windows（登録商標）のスタートアップ機能や、ストレージ領域の一部を仮想ＣＤ−ＲＯＭ領域として動作させるオートラン機能を用いて、予約録画プログラムを起動させる。
【００２８】
正常にパーソナルコンピュータ２０が立ち上がった場合、パーソナルコンピュータ２０で予約録画プログラムが起動し、実際に予約録画が可能かどうかを予約録画制御部２３が判断する。その結果、予約録画が可能と判断した場合は、パーソナルコンピュータ２０の記憶媒体２１にテレビ信号を記憶する。一方、予約録画は不可能と判断した場合は、外部記憶制御装置１０の記憶媒体判断部１２２に情報を送信し、記憶媒体判断部１２２が、第二の記憶媒体１１でテレビ信号を記憶するように制御する。予約録画設定時には、正常に予約録画が設定できた場合であっても、ユーザの記憶媒体へのその後の書き込みにより記憶容量が足りなくなる場合等があるからである。また、ＤＶＤディスクドライブに記憶しようとした場合においては、ユーザが予約録画設定後に誤ってＤＶＤディスクを取り外してしまう場合もある。
【００２９】
予約録画制御部１２３は、リアルタイムクロック（ＲＴＣ）によって計時されている内部時計（図示せず）を使用して、メモリ部に記憶された予約録画情報の予約録画開始時刻の所定時間（パーソナルコンピュータが立ち上がるのに必要な数分間）前に、電源確認部１２１を起動させる。そして、電源確認部１２１の確認に基づいて、記憶媒体判断部１２２が、第二の記憶媒体１１にテレビ信号を記憶するように制御した場合には、テレビ放送取得部１４を介してテレビ信号を第二の記憶媒体１１に記憶する。
【００３０】
電源部１５は、パーソナルコンピュータ２０が起動している場合には、ＵＳＢバスパワーによって外部記憶制御装置１０を作動させ、パーソナルコンピュータ２０が起動しておらず、ＵＳＢバスパワーが得られない場合は、ＡＣ電源により外部記憶制御装置１０の電源を確保する。また、電源部１５は、ＡＣ電源以外にも１次電池や２次電池、あるいは充電回路として電気二重層コンデンサを使用することもできる。
この電源部を有することにより、パーソナルコンピュータ２０の電源のＯＮ・ＯＦＦに関わらず、外部記憶制御装置１０の電源を確保し作動させることが可能となる。
【００３１】
次に図１を参照しつつ、図２〜図４に沿って、本実施形態に係るテレビ番組録画方法の処理を説明する。
図２は、本発明の第一の実施形態に係るテレビ番組録画方法の予約録画設定時から予約録画終了までの処理の流れを示すフローチャートである。
まず、パーソナルコンピュータ２０の電源がＯＮとなる（Ｓ１０１）。
パーソナルコンピュータ２０が起動し、ユーザが予約録画を設定するアプリケーションプログラムを立ち上げ、テレビ番組を予約したいチャンネル、録画時間、録画保存先である第一の記憶媒体２１（「予約録画情報」）を設定する（Ｓ１０２）。
続いて、パーソナルコンピュータ２０の予約録画設定部２２に設定された予約録画情報を、予約録画制御部２３がＵＳＢインターフェイスを介して外部記憶制御装置１０に送信する（Ｓ１０３）。
予約録画情報を取得した外部記憶制御装置１０は、録画制御部１２の制御により、メモリ部１３において予約録画情報を保存する（Ｓ１０４）。
次に、メモリ部に記憶された予約録画情報の予約録画開始時刻の所定時間前になると、外部記憶制御装置１０の予約録画制御部１２３が起動する。所定時間とは、パーソナルコンピュータ２０を立ち上げるのに必要とされる十分な時間で、例えば５分程度を設定しておく。予約録画制御部１２３は、続いて電源確認部１２１を起動し、電源確認部１２１において、パーソナルコンピュータ２０の電源がＯＮの状態になっているかを確認する（Ｓ１０５）。この確認は、パーソナルコンピュータ２０からＵＳＢバスパワーが供給されているかどうかで行うことができる。
【００３２】
ステップＳ１０５の結果、パーソナルコンピュータ２０が起動していないと電源確認部１２１が確認した場合（Ｓ１０５→Ｎｏ）には、記憶媒体判断部１２２が、予約録画情報で設定されているパーソナルコンピュータ２０の第一の記憶媒体２１ではなく、外部記憶制御装置１０の第二の記憶媒体１１にテレビ信号を記憶するように制御を行う（Ｓ１１０）。
そして、メモリ部に記憶された予約録画情報の予約録画開始時刻になると、予約録画制御部１２３により、予約録画プログラムが実行され（Ｓ１１１）、テレビ放送取得部１４を介してテレビ信号を第二の記憶媒体１１に記憶する（Ｓ１１２）。予約録画情報の予約録画終了時刻になると予約録画プログラムが終了し（Ｓ１１３）、テレビ番組の予約録画が完了する。
【００３３】
一方、ステップＳ１０５の結果、パーソナルコンピュータ２０が起動していると電源確認部１２１が確認した場合（Ｓ１０５→Ｙｅｓ）には、外部記憶制御装置１０の記憶媒体判断部１２２は、パーソナルコンピュータ２０の第一の記憶媒体２１にテレビ信号を記憶させるように制御する（Ｓ１０６）。
予約録画設定部２２に設定された予約録画情報の予約録画開始時刻になると、予約録画制御部２３が起動し、予約録画プログラムが実行され（Ｓ１０７）。外部記憶制御装置１０のテレビ放送取得部１４を介して、テレビ信号を第一の記憶媒体に録画する（Ｓ１０８）。
予約録画終了時刻になると予約録画プログラムが終了する（Ｓ１０９）。
【００３４】
このようにすることで、パーソナルコンピュータ２０の電源が予約録画開始時刻に入っていない場合でも、外部記憶制御装置１０の第二の記憶媒体１１でテレビ信号を記憶しておくことができる。一方、パーソナルコンピュータ２０の電源が入っている場合は、外部記憶制御装置１０のテレビ放送取得部を介してテレビ信号を受信することで、第一の記憶媒体２１において予約録画を行うことができる。その結果、ユーザは確実に放送番組の予約録画を行うことができる。
【００３５】
図３は、本発明の第二の実施形態に係るテレビ番組録画方法の予約録画設定時から予約録画終了までの処理の流れを示すフローチャートである。
まず、図２のステップＳ１０１〜ステップＳ１０４と同様の手順で、予約録画情報をパーソナルコンピュータ２０から外部記憶制御装置１０が取得し、メモリ部１３において予約録画情報を保存する（予約録画情報設定処理：Ｓ２０１）。
そして、メモリ部に記憶された予約録画情報の予約録画開始時刻の所定時間（パーソナルコンピュータが立ち上がるのに必要な数分間）前に、外部記憶制御装置１０の予約録画制御部１２３が起動し、電源確認部１２１において、パーソナルコンピュータ２０の電源がＯＮの状態になっているかを確認する（Ｓ１０５）。
【００３６】
ステップＳ１０５の結果、パーソナルコンピュータ２０が起動していないと電源確認部１２１が確認した場合（Ｓ１０５→Ｎｏ）、記憶媒体判断部１２２は、パーソナルコンピュータ２０へ電源を立ち上がらせるために、トリガを送信する。
トリガとしては、ＵＳＢのリモートウェイクアップ機能を用い、Magic Packet を送信することで電源がＯＦＦになっているパーソナルコンピュータを立ち上げる。また、ＡＣＰＩ（ Advanced Configuration and Power Interface ）機能を有したパーソナルコンピュータであれば、完全な電源ＯＦＦの設定から、ＲＡＭとＣＰＵを含めて電源をＯＦＦにする設定、ＲＡＭには電源を供給しＣＰＵの電源をＯＦＦにする設定などの様々な電源状態の設定をすることができ、Magic Packet に限らないパケットタイプによって、パーソナルコンピュータを起動させることができる。
【００３７】
ステップＳ２０２において、パーソナルコンピュータ２０にトリガを送信した外部記憶制御装置１０は、再び、電源確認部１２１において、パーソナルコンピュータ２０の電源が起動しているかどうかを判断する（Ｓ２０３）。
【００３８】
そして、ステップＳ２０３の結果、パーソナルコンピュータ２０がトリガを送信しても起動していないと電源確認部１２１が判断した場合（Ｓ２０３→Ｎｏ）には、記憶媒体判断部１２２が、第二の記憶媒体１１にテレビ信号を記憶するように制御を行う（Ｓ１１０）。それ以降は、図２のステップＳ１１１〜ステップＳ１１３と同様の手順で、外部記憶制御装置１０の第二の記憶媒体にテレビ信号が記憶される（外部記憶制御装置の予約録画実行処理：Ｓ２０５）。
【００３９】
一方、ステップＳ２０３の結果、電源確認部１２１がパーソナルコンピュータ２０の電源が起動していると判断した場合（Ｓ２０３→Ｙｅｓ）には、記憶媒体判断部１２２は、パーソナルコンピュータ２０の第一の記憶媒体２１にテレビ信号を記憶させるように制御する（Ｓ１０６）。それ以降は、図２のステップＳ１０７〜ステップＳ１０９と同様の手順で、パーソナルコンピュータ２０の第一の記憶媒体２１にテレビ信号が記憶される（ＰＣの予約録画実行処理：Ｓ２０４）。
【００４０】
このようにすることで、予約録画待機中にパーソナルコンピュータ２０を使用せず電源がＯＦＦの場合に、外部記憶制御装置１０がパーソナルコンピュータ２０を立ち上げる制御をするため、予約録画のためにパーソナルコンピュータ２０の電源を入れておく必要がなく、無駄な電力を消費しなくてすむ。また、たとえ、パーソナルコンピュータ２０が何らかの問題で立ち上がらなかった場合であっても、外部記憶制御装置１０で予約録画を実行することが可能となる。
【００４１】
図４は、本発明の第三の実施形態に係るテレビ番組録画方法の予約録画設定時から予約録画終了までの処理の流れを示すフローチャートである。
まず、図２のステップＳ１０１〜ステップＳ１０４において、外部記憶制御装置１０が予約録画情報をパーソナルコンピュータ２０から取得し、メモリ部１３において予約録画情報を保存する処理は同様である（予約録画情報設定処理：Ｓ２０１）。
そして、ステップＳ１０５において、パーソナルコンピュータ２０が起動していないと電源確認部１２１が判断した場合（Ｓ１０５→Ｎｏ）は、図３と同様にパーソナルコンピュータ２０にトリガを送信し（Ｓ２０２）、次にパーソナルコンピュータ２０の電源が起動しているかを再び電源確認部１２１が判断する（Ｓ２０３）。
【００４２】
次に、パーソナルコンピュータ２０の電源が予約録画開始時刻前に起動していると確認された場合（Ｓ１０５→Ｙｅｓ）と、外部記憶制御装置１０からのトリガによりパーソナルコンピュータ２０が立ち上がった場合（Ｓ２０３→Ｙｅｓ）とにおいて、パーソナルコンピュータ２０の予約録画制御部２３は、第一の記憶媒体２１において、予約録画が可能かどうかの確認を行う処理をする。具体的には、予約録画設定部２２で設定した予約録画時間と第一の記憶媒体２１であるハードディスクの記憶容量を比較し、テレビ信号を記憶するのに十分な記憶容量が残っているかを判断する（Ｓ３０１）。予約録画プログラムにおいて正常に第一の記憶媒体２１に対して予約録画が設定できた場合であっても、予約録画待機中に、ハードディスクにユーザが新たな書き込みをして、容量が足りなくなる場合もあるからである。
【００４３】
ステップＳ３０１の結果、パーソナルコンピュータ２０の予約録画制御部２３が、第一の記憶媒体２１に予約録画に十分な記憶容量が残っていないと判断した場合には（Ｓ３０１→Ｎｏ）、外部記憶制御装置１０に情報が送信され、記憶媒体判断部１２２が第二の記憶媒体１１にテレビ信号を記憶するように制御する（Ｓ１１０）。それ以降は、図２のステップＳ１１１〜ステップＳ１１３と同様の手順で、外部記憶制御装置１０の第二の記憶媒体１１にテレビ信号が記憶される（外部記憶制御装置の予約録画実行処理：Ｓ２０５）。
【００４４】
一方、ステップＳ３０１の結果、予約録画制御部２３が、第一の記憶媒体２１に予約録画に十分な記憶容量が残っていると判断した場合には（Ｓ３０１→Ｙｅｓ）、記憶媒体判断部１２２は、パーソナルコンピュータ２０の第一の記憶媒体２１にテレビ信号を記憶させるように制御する（Ｓ１０６）。それ以降は、図２のステップＳ１０７〜ステップＳ１０９と同様の手順で、パーソナルコンピュータ２０の第一の記憶媒体２１にテレビ信号が記憶される（ＰＣの予約録画実行処理：Ｓ２０４）。
【００４５】
このようにすることで、パーソナルコンピュータ２０で電源が立ち上がり、さらに予約録画プログラムが作動した場合において、予約録画設定後の何らかの問題により、パーソナルコンピュータ２０の第一の記憶媒体２１にテレビ信号を記憶できないときでも、外部記憶制御装置１０の第二の記憶媒体１１でテレビ信号を予約録画することが可能となる。
【００４６】
本発明の実施形態によれば、予約録画を設定したパーソナルコンピュータ２０の電源が起動していない場合、あるいは何らかの原因で予約録画ができない場合であっても、パーソナルコンピュータ２０の第一の記憶媒体２１、または外部記憶制御装置１０の第二の記憶媒体１１のどちらかでテレビ信号の予約録画を実行することが可能となり、予約録画の失敗によるユーザのストレスを解消することができる。また、予約録画待機中にパーソナルコンピュータ２０を使用しない場合に、電源を入れておく必要がなく、無駄な電力の消費を抑えることができる。
【００４７】
本実施形態においては、さらに、外部記憶制御装置１０に赤外線受光部を設け、予約録画設定表示機能を備えたリモコンにより予約録画情報を設定することが可能な構成とすることもできる。このような構成にすれば、ユーザが、パーソナルコンピュータ２０において予め行う予定だった予約録画情報の設定を忘れた場合であっても、パーソナルコンピュータ２０を起動せずに予約録画情報の設定が可能となる。予約録画開始時刻の所定時間前になると、外部記憶制御装置１０がパーソナルコンピュータ２０を起動し、外部記憶制御装置２０から送信された予約録画情報を基に、パーソナルコンピュータ２０の予約録画プログラムを作動させ、予約録画実行処理を行う。予約録画終了後は、パーソナルコンピュータ２０の電源をＯＦＦにする。このような処理とすることで、ユーザの利便性をさらに向上させることができる。
【図面の簡単な説明】
【００４８】
【図１】本実施形態に係るテレビ番組録画システムの構成例を示す機能ブロック図である。
【図２】本発明の第一の実施形態に係るテレビ番組録画方法の予約録画設定時から予約録画終了までの処理の流れを示すフローチャートである。
【図３】本発明の第二の実施形態に係るテレビ番組録画方法の予約録画設定時から予約録画終了までの処理の流れを示すフローチャートである。
【図４】本発明の第三の実施形態に係るテレビ番組録画方法の予約録画設定時から予約録画終了までの処理の流れを示すフローチャートである。
【符号の説明】
【００４９】
１      テレビ番組録画システム
１０    外部記憶制御装置
１１    第二の記憶媒体
１２    録画制御部
１３    メモリ部
１４    テレビ放送取得部
１５    電源部
２０    パーソナルコンピュータ
２１    第一の記憶媒体
２２    予約録画設定部
２３    予約録画制御部
１２１  電源確認部
１２２  記憶媒体判断部
１２３  予約録画制御部
【図１】
2008278359.tif 000003
【図２】
2008278359.tif 000004
【図３】
2008278359.tif 000005
【図４】
2008278359.tif 000006